(57)【要約】      （修正有）【課題】不必要な個人情報の開示が不要であると共に個人情報の漏洩する危険性の少ない通過情報通知システムを提供する。【解決手段】交通機関の利用、建物あるいは施設、区画への入退場の許可、不許可を制御する位置特定手段１と、位置特定手段１を通過するための認証ＩＤ情報を有する携帯端末２とから成るゲート通過情報通知システムにおいて、携帯端末２は、位置特定手段を通過し、認証ＩＤ情報、通過許可信号の送受信した際に、位置特定手段１の装置属性情報を第１の通信処理装置１Ａを介して第２の通信処理装置２Ａにより受信し、この受信した装置属性情報を予め設定した通知受信者３の持つ通信端末３Ａへ第３の通信処理装置２Ｂを介して送信するように構成。【選択図】図１
2006293494.tif 000002
【特許請求の範囲】
【請求項１】
交通機関の利用、建物あるいは施設、区画への入退場の許可、不許可を制御する位置特定手段と、この位置特定手段を通過するための認証ＩＤ情報を有する携帯端末とから成るゲート通過情報通知システムにおいて、
前記位置特定手段に、前記携帯端末が有する認証ＩＤ情報の授受を行う第１の通信処理装置と、入退場の許可、不許可の判定および前記第１の通信処理装置を制御するための計算装置と、これらの処理に必要な各種データを格納する記憶装置とを備え、一方、前記携帯端末に、前記認証ＩＤ情報および通過する位置特定手段の装置属性情報の送受信を行う第２の通信処理装置と、予め設定した送信先とデータの送受信が可能な第３の通信処理装置と、これらの記憶および通信を制御するための計算装置と、これらの処理に必要な各種データを格納する記憶装置とを備え、かつ、前記携帯端末は、位置特定手段を通過した際に、前記位置特定手段の装置属性情報を前記第１の通信処理装置を介して前記第２の通信処理装置により受信し、この受信した装置属性情報を予め設定した通知受信者の持つ通信端末へ第３の通信処理装置を介して送信するようにしたことを特徴とするゲート通過情報通知システム。
【発明の詳細な説明】
【技術分野】
【０００１】
本発明は、特定箇所の通過を遠隔地に連絡するゲート通過情報通知システムに関する。
【背景技術】
【０００２】
一般に、自動改札機などの位置特定手段１を通過するだけで、帰宅や移動の完了を自宅や事務所へ自動的に連絡する手段としては、位置特定手段の通過の許可、不許可を判定するための磁気カードに通知先の電話番号と通知に必要な情報とを記録し、この磁気カードを使用して自動改札機を通過する時に、電話番号と必要な情報とを読取り、この読取った電話番号により通知先へ自動発信し、通知内容の音声合成処理を行い、通知先へ合成音声による通知および／または電気製品の制御を行うものが知られている（例えば特許文献１参照）。また、位置特定手段の通過を検出することによって、予め登録した通知先へ交通情報などの各種情報を提供するシステムも知られている（例えば特許文献２参照）。
【特許文献１】特開平５−１９７７２４（段落０００９〜００２１、図１）
【特許文献２】特開２００４−５３８８（段落０００９〜００４８、図１）
【発明の開示】
【発明が解決しようとする課題】
【０００３】
しかし、上記特許文献１に開示されたものは、位置特定手段に使用する磁気カードに通知先の電話番号と通知に必要な情報とを登録してあるため、磁気カードに登録されたデータを読み出すことで、個人情報が流出するという問題があった。また、上記特許文献に開示されたものは、磁気カードに通知先の電話番号と通知に必要な情報とを記録する必要があるが、そのためには磁気カード記録用の装置を別途必要とする問題もあった。
【０００４】
また、後者の特許文献２に開示されたものでは、位置特定手段を通過する際に読取られる情報はカードのＩＤ番号であり、カード内に有するデータを他者に読取られても個人情報は漏洩しない。しかし、このシステムの利用者は予め重要な個人情報をシステム提供者側に提示する必要があり、不特定の利用者に受け入れられにくいという問題があった。また、システム利用者の携帯端末を変更した場合や、通知先に変更が生じた場合等はシステム提供者にこれらの変更を申請する必要があり、手続きが煩わしいという問題もあった。
【０００５】
本発明の目的は、不必要な個人情報の開示が不要であると共に個人情報の漏洩する危険性の少ない通過情報通知システムを提供することにある。
【課題を解決するための手段】
【０００６】
上記目的を達成するため、本発明は、交通機関の利用、建物あるいは施設、区画への入退場の許可、不許可を制御する位置特定手段と、この位置特定手段を通過するための認証ＩＤ情報を有する携帯端末とから成るゲート通過情報通知システムにおいて、前記位置特定手段に、前記携帯端末が有する認証ＩＤ情報の授受を行う第１の通信処理装置と、入退場の許可、不許可の判定および前記通信処理装置を制御するための計算装置と、これらの処理に必要な各種データを格納する記憶装置とを備え、一方、前記携帯端末に、前記認証ＩＤ情報および通過する位置特定手段の装置属性情報の送受信を行う第２の通信処理装置と、予め設定した送信先とデータの送受信が可能な第３の通信処理装置と、これらの記憶および通信を制御するための計算装置と、これらの処理に必要な各種データを格納する記憶装置とを備え、かつ、前記携帯端末は、位置特定手段を通過した際に、前記位置特定手段の装置属性情報を前記第１の通信処理装置を介して前記第２の通信処理装置により受信し、この受信した装置属性情報を予め設定した通知受信者の持つ通信端末へ第３の通信処理装置を介して送信するようにしたことを特徴とする。
【０００７】
上記構成によれば、第１の通信処理装置と第２の通信処理装置の間で行われる通信、および、第３の通信処理装置と通信端末の間で行われる通信における送受信データには個人情報を含まず、また、位置特定手段の記憶装置に携帯端末の個人情報を記憶させておく必要も無いことから、個人情報が漏洩する危険性を低減することができる。
【発明の効果】
【０００８】
本発明によれば、不必要な個人情報の開示が不要であると共に個人情報の漏洩する危険性の少ない通過情報通知システムを提供することができる。
【発明を実施するための最良の形態】
【０００９】
以下本発明の実施形態を図に基いて説明する。
【００１０】
図１は、本発明に一実施形態になる通過情報通知システムの全体構成図、図２は位置特定手段を通過した携帯端末が通過情報を発信するまでの処理の流れを示す流れ図、図３は携帯端末で設定する位置特定手段の装置属性情報と送信先との対応を説明する構成図、図４は会社や学校における玄関入退場管理と連携した通過情報通知システムを示す全体構成図である。
【００１１】
図１に示すように、通過情報通知システムは、大きく分類して位置特定手段１と、携帯端末２と、通知受信者３とから構成され、位置特定手段１は第１の通信処理装置１Ａ、計算装置１Ｂ、記憶装置１Ｃから成っている。
【００１２】
また、携帯端末２は位置特定手段１の第１の通信処理装置１Ａとデータの授受を行う第２の通信処理装置２Ａ、入退場の許可条件となる認証ＩＤ情報や位置特定手段１の装置属性情報を発信するための各種のデータを格納する記憶装置２Ｄ、予め決められた送信先へ位置特定手段１の装置属性情報を送信する第３の通信処理装置２Ｂ、データ処理を行う計算装置２Ｃから成っている。また、通知受信者３は携帯端末２の第３の通信処理装置２Ｂと通信を行う通信端末３Ａを所持している。
【００１３】
次に、図２を用いて、通常の位置特定手段１の入退場システムとしての動作について説明する。処理開始時１ａにおいて、位置特定手段１は常に通信が開始可能な状態で待機しており、ここに携帯端末２の所有者が、携帯端末２を第１の通信処理装置１Ａに近づける（２ａ）と、第１の通信処理装置１Ａは携帯端末２の接近を検知する（１ｂ）。前記第１の通信処理装置１Ａは携帯端末２に対し認証ＩＤ情報を要求する信号を発信し（１ｃ）、携帯端末２がこの信号を第２の通信処理装置２Ａで受信すると携帯端末２の記憶装置２Ｄに格納されている認証ＩＤを返信する（２ｂ）。位置特定手段１は、第１の通信処理装置１Ａでこれらのデータを受信し、計算装置１Ｂで通過許可、不許可を判定する（１ｄ）。
【００１４】
判定の結果、携帯端末２が位置特定手段１の通過を許可する場合、位置特定手段１は記憶装置１Ｃに格納されている自身の装置属性情報、例えばＩＰアドレスや、施設あるいは建物の名称、を携帯端末２へ送信し（１ｅ）、携帯端末２はこれを第２の通信処理装置２Ａで受信して記憶装置２Ｄにこれらのデータを格納する（２ｃ）。携帯端末２の所有者が位置特定手段１を通過した時に、通知受信者３へ通過情報を発信したい場合は、予め携帯端末で位置特定手段１の装置属性情報と通知受信者３とを紐付け、図３に示すように送信先設定データ２Ｄ−（１）として記憶装置２Ｄに格納しておく。
【００１５】
携帯端末２が第２の通信処理装置２Ａで位置特定手段１の装置属性情報を受信し、記憶装置２Ｄに格納すると、携帯端末２の記憶装置２Ｄに格納された送信先設定データ２Ｄ−（１）に含まれているかどうかを比較する（２ｄ）。送信先設定データ２Ｄ−（１）にデータが含まれる場合は、予め携帯端末で紐付けられた通知受信者３へ送信する位置通過情報を作成する（２ｅ）。この位置通過情報は、通知受信者３が読む、「○○を通過しました」や「△△に着きました」等の文章データと、位置特定手段１の装置属性情報とから構成される。
【００１６】
図４は会社や学校における玄関入退場管理と連携した通過情報通知システムを示す全体構成図で、第１の通信処理装置１Ａは玄関近くに設置されており、携帯端末２の所有者は、玄関を通過する際に携帯端末２をかざすと、位置特定手段１に相当する玄関ドアが開き、建物への入退場が可能となる。また、玄関を通過したことで、予め位置特定手段１の装置属性情報と紐付けられた通知受信者３へ自動、あるいは所有者の任意でこの位置特定手段１を通過したことが通知され、例えば帰宅の予告が自動的に自宅に通報される。
【００１７】
なお、設定する送信先は複数でもよく、また、通過した際の送信の条件、例えば携帯端末が自動的に送信処理をする方式と、通過の都度に送信するか否かを携帯端末の所有者に選択させる方式を選択可能としてもよい。
【００１８】
また、位置特定手段１通過の際に自動的に送信する場合は、送信データを作成し、テーブル情報に含まれる発信先へ第２の通信処理装置２Ｂにより位置特定手段１の位置通過情報を通信端末３Ａへ発信する。また、位置特定手段１を通過する度に送信するか否かを携帯端末の所有者に選択させる場合は、携帯端末の所有者が発信することを選択した場合にのみ、送信データの編集を行う処理に入る。また、通過情報を異なる地点からの発信を防ぐため、携帯端末２が位置特定手段１通過情報の発信を許可するのは、位置特定手段１通過後一定時間以内、例えば５分以内とする。
【００１９】
以上のように構成することで、この構成要素間で授受される情報は、位置特定手段１の装置属性情報および携帯端末２の認証ＩＤのみであり、重大な個人情報、例えば携帯端末の所有者情報や通知受信者３の送信先が位置特定手段１へ送信されることは無い。また、携帯端末を変更した場合も携帯端末内の記憶装置情報を移動させることによって使用可能であり、送信先に変更があった場合も、携帯端末の所有者が携帯端末内における送信先設定データ２Ｄ−（１）を変更すればよい。さらに、通知受信者３は、受信した通過通知の真偽を確認することができ、信頼性の高いシステムとすることができる。
【図面の簡単な説明】
【００２０】
【図１】本発明に一実施形態になる通過情報通知システムの全体構成図である。
【図２】位置特定手段を通過した携帯端末が通過情報を発信するまでの処理の流れを示す流れ図である。
【図３】携帯端末で設定する位置特定手段の装置属性情報と送信先との対応を説明する構成図である。
【図４】会社や学校における玄関入退場管理と連携した通過情報通知システムを示す全体構成図である。
【符号の説明】
【００２１】
１    位置特定手段
１Ａ  第１の通信処理装置
１Ｂ  計算装置
１Ｃ  記憶装置
２    携帯端末
２Ａ  第２の通信処理装置
２Ｂ  第３の通信処理装置
２Ｃ  計算装置
２Ｄ  記憶装置
３    通知受信者
３Ａ  通信端末
【図１】
2006293494.tif 000003
【図２】
2006293494.tif 000004
【図３】
2006293494.tif 000005
【図４】
2006293494.tif 000006